(57)【要約】      （修正有）【課題】構造が簡単で、使用利便性に優れ、様々な使用用途に適用できる多機能杖を提供する。【解決手段】多機能杖であって、握持部１０と該握持部に連結される杖１００本体と該杖本体に連結される第１台座と、第２台座と、該第１台座と第２台座４０を連結する固定機構５０とを備え、前記第１台座は、第１支持脚部を含み、前記第２台座は、取付座と該取付座に接続される少なくとも二つの第２支持脚部４２を含み、前記第１台座と第２台座とが、前記固定機構を介して取り外し可能に連結され、前記第１台座と第２台座が連結されている場合において、前記第２支持脚部が前記第１支持脚部を囲繞するように設置され、該第１支持脚部が前記取付座に当接し、前記固定機構の一端が該第１台座の一端に当接し、他端が前記取付座に連結される。【選択図】図１
0003223865.tif 000002
【実用新案登録請求の範囲】
【請求項１】
握持部と、該握持部に連結される杖本体と、該杖本体に連結される第１台座と、第２台座と、該第１台座と第２台座を連結する固定機構とを備え、
前記第１台座は、第１支持脚部を含み、前記第２台座は、取付座と、該取付座に接続される少なくとも二つの第２支持脚部を含み、前記第１台座と第２台座とが、前記固定機構を介して取り外し可能に連結され、
前記第１台座と第２台座が連結されている場合において、前記第２支持脚部が前記第１支持脚部を囲繞するように設置され、該第１支持脚部が前記取付座に当接し、前記固定機構の一端が該第１台座の一端に当接し、他端が前記取付座に連結されることを特徴とする多機能杖。
【請求項２】
前記第１台座は、前記第１支持脚部及び杖本体に連結される突出部を含み、
前記固定機構は、ハウジングケースを含み、該ハウジングケースの一端が、前記突出部における杖本体に連結される一端に当接し、他端が前記第２台座との連結に用いられることを特徴とする請求項１に記載の多機能杖。
【請求項３】
前記固定機構は、前記ハウジングケースにおける、杖本体に接近する一端に径方向に延在する端縁部と、該ハウジングケースにおける、杖本体から離れる一端に軸方向に延在するリム部とを含み、該端縁部が、前記突出部における、杖本体に連結する一端に当接することを特徴とする請求項２に記載の多機能杖。
【請求項４】
前記突出部は、テーパー状を呈し、前記杖本体に連結される一端の寸法が、該杖本体から離れる一端より小さく、前記ハウジングケースが、該突出部の外形に対応する形状を呈することを特徴とする請求項２に記載の多機能杖。
【請求項５】
前記リム部の内周面にメスネジ山が設けられ、前記第２台座に、該リム部のメスネジ山と螺合可能なオスネジ山を有することを特徴とする請求項３に記載の多機能杖。
【請求項６】
前記第１支持脚部に位置決め凹部が形成され、前記第２台座の取付座の内周面に、該位置決め凹部と係合可能な位置決め凸部が設けられるを特徴とする請求項１に記載の多機能杖。
【請求項７】
第２ハンドルカバーと、該第２ハンドルカバーに連結される固定座を含む補助握持部をさらに備え、該第２ハンドルカバーが、前記杖本体における、握持部に接近する一端に取り付けられ、該固定座が該杖本体に固定され、前記握持部に第１ハンドルカバーが取り付けられることを特徴とする請求項１に記載の多機能杖。
【請求項８】
前記杖本体は、第１パイプと、該第１パイプに連結される第２パイプを含み、該第１パイプの一端が前記握持部に連結され、他端が該第２パイプに外嵌され、該第２パイプの他端が前記第１台座に連結されることを特徴とする請求項１に記載の多機能杖。
【請求項９】
ロケートリングと、該ロケートリングに接続されるロケートピンを含む長さ調節機構をさらに有し、該ロケートリングが前記第１パイプに外嵌され、該ロケートピンが、該第１パイプと第２パイプを貫通して設置されることを特徴とする請求項８に記載の多機能杖。
【請求項１０】
前記握持部が、横アームと、該横アームに接続される湾曲アームと、該湾曲アームに接続される過渡アームを含み、該過渡アームの他端が前記杖本体に連結されることを特徴とする請求項１に記載の多機能杖。
【考案の詳細な説明】
【技術分野】
【０００１】
本考案は、歩行介助機器の技術領域に属するものであり、特に多機能杖に関するものである。
【背景技術】
【０００２】
杖は通常、老人や、足を負傷した人、行動が不自由な障害者など、或は登山者などに対して、起立時や歩行時使用する重要な道具であり、主に、起立時或は歩行時における補助の支持点とすることにより、足腰の負担を軽減し、体力を節約し、転倒を回避するものである。
【０００３】
従来から市販されている殆どの杖は、握持部と棒状杖本体とからなり、歩行を補助するための単一の棒状構造にすぎず、実際の使用環境において、人々の様々なニーズを満たすことができない。つまり、使用者が、補助する支持点に頼って立ち上がる場合、従来の杖は主に、単に地面に突いた一つの支持点のみにより補助的支持をしていることから、安定性に劣り、滑りやすいので、転倒事故に繋がる虞があった。このことから、現在では、複数の支持点を有する杖が多く開発されており、この種の杖によれば、滑りにくく、安定した補助的支持が得られる。しかしながら、このような複数の支持点構造からなる台座を交換する際には、元の台座を取り外す必要があることから、元の台座を紛失しやすく、また交換するのに手間がかかるので、非常に不便であった。
【考案の概要】
【考案が解決しようとする課題】
【０００４】
本考案は、前記の従来技術の欠点に鑑みてなされたものであり、構造が簡単で、使用利便性に優れ、様々な使用用途に適用できる多機能杖を提供することを目的としている。
【課題を解決するための手段】
【０００５】
上記の目的を達成するために、本考案は多機能杖であって、握持部と、該握持部に連結される杖本体と、該杖本体に連結される第１台座と、第２台座と、該第１台座と第２台座を連結する固定機構とを備え、前記第１台座は、第１支持脚部を含み、前記第２台座は、取付座と、該取付座に接続される少なくとも二つの第２支持脚部を含み、前記第１台座と第２台座とが、前記固定機構を介して取り外し可能に連結され、前記第１台座と第２台座が連結されている場合において、前記第２支持脚部が前記第１支持脚部を囲繞するように設置され、該第１支持脚部が前記取付座に当接し、前記固定機構の一端が該第１台座の一端に当接し、他端が前記取付座に連結されることを特徴とする。
【０００６】
前記第１台座は、前記第１支持脚部及び杖本体に連結される突出部を含み、前記固定機構は、ハウジングケースを含み、該ハウジングケースの一端が、前記突出部における杖本体に連結される一端に当接し、他端が前記第２台座との連結に用いられることを特徴とする。
【０００７】
前記固定機構は、前記ハウジングケースにおける、杖本体に接近する一端に径方向に延在する端縁部と、該ハウジングケースにおける、杖本体から離れる一端に軸方向に延在するリム部とを含み、該端縁部が、前記突出部における、杖本体に連結する一端に当接することを特徴とする。
【０００８】
前記突出部は、テーパー状を呈し、前記杖本体に連結される一端の寸法が、該杖本体から離れる一端より小さく、前記ハウジングケースが、該突出部の外形に対応する形状を呈することを特徴とする。
【０００９】
前記リム部の内周面にメスネジ山が設けられ、前記第２台座に、該リム部のメスネジ山と螺合可能なオスネジ山を有することを特徴とする。
【００１０】
前記第１支持脚部に位置決め凹部が形成され、前記第２台座の取付座の内周面に、該位置決め凹部と係合可能な位置決め凸部が設けられるを特徴とする。
【００１１】
第２ハンドルカバーと、該第２ハンドルカバーに連結される固定座を含む補助握持部をさらに備え、該第２ハンドルカバーが、前記杖本体における、握持部に接近する一端に取り付けられ、該固定座が該杖本体に固定され、前記握持部に第１ハンドルカバーが取り付けられることを特徴とする。
【００１２】
前記杖本体は、第１パイプと、該第１パイプに連結される第２パイプを含み、該第１パイプの一端が前記握持部に連結され、他端が該第２パイプに外嵌され、該第２パイプの他端が前記第１台座に連結されることを特徴とする。
【００１３】
ロケートリングと、該ロケートリングに接続されるロケートピンを含む長さ調節機構をさらに有し、該ロケートリングが前記第１パイプに外嵌され、該ロケートピンが、該第１パイプと第２パイプを貫通して設置されることを特徴とする。
【００１４】
前記握持部が、横アームと、該横アームに接続される湾曲アームと、該湾曲アームに接続される過渡アームを含み、該過渡アームの他端が前記杖本体に連結されることを特徴とする。
【考案の効果】
【００１５】
本考案に係る多機能杖は、第１台座の第１支持脚部により、一つの支持点による単点支持補助を実現し、固定機構によれば、第１台座と第２台座とを着脱可能に連結することで、速やかな交換作業を実現し、第２台座の少なくとも二つの第２支持脚部により、複数の支持点での多点支持補助を実現することにより、優れた滑り止め効果を発揮するものである。このように、上述した技術特徴によれば、本考案に係る多機能杖は、安定した構造を有し、単点支持と多点支持を素早く切り替えることができるので、様々な用途に適用できるものである。
【図面の簡単な説明】
【００１６】
【図１】本考案に係る多機能杖の好適な実施例を示す斜視図である。
【図２】図１に示す実施例の分解図である。
【図３】図１における、第１台座と第２台座と固定機構と長さ調節機構を示す分解図である。
【図４】図１に示す実施例の側面視断面図である。
【図５】図１において、第２台座を除いた実施例を示す斜視図である。
【考案を実施するための形態】
【００１７】
本考案の技術的特徴及び実用効果を詳しく分かるとともに明細書の内容に基づいて実現できるように、図面に示す好適な実施形態により以下のように詳細に説明する。しかしながら、本考案は多くの異なる形態で具現化することができるので、本明細書に記載の実施形態に限定されず、むしろこれらの実施形態は、本考案をより十分に理解するために提供されている。
【００１８】
本明細書で使用されるすべての技術用語および科学用語は、本考案に対する当業者によって一般的に理解されているのと同じ意味を有し、本考案の説明で使用される用語は、実施形態をより明確に説明することを目的としており、本考案を限定することを意図するものではない。
【００１９】
図１〜図５に示すように、本考案の好適な実施例においては、多機能杖１００は、握持部と、該握持部に連結される杖本体と、該杖本体に連結される第１台座と、第２台座と、該第１台座と第２台座を連結する固定機構とを備え、前記第１台座は、第１支持脚部を含み、前記第２台座は、取付座と、該取付座に接続される少なくとも二つの第２支持脚部を含み、前記第１台座と第２台座とが、前記固定機構を介して取り外し可能に連結され、前記第１台座と第２台座が連結されている場合において、前記第２支持脚部が前記第１支持脚部を囲繞するように設置され、該第１支持脚部が前記取付座に当接し、前記固定機構の一端が該第１台座の一端に当接し、他端が前記取付座に連結される。本考案に係る多機能杖は、第１台座の第１支持脚部により、一つの支持点による単点支持補助を実現し、固定機構によれば、第１台座と第２台座とを着脱可能に連結することで、速やかな交換作業を実現し、第２台座の少なくとも二つの第２支持脚部により、複数の支持点での多点支持補助を実現することにより、優れた滑り止め効果を発揮するものである。
【００２０】
図１及び図２に示すように、本考案の好適な実施例においては、握り心地をよくするため、前記握持部１０に第１ハンドルカバー１１が取り付けられ、該握持部１０は、横アーム１２と、該横アーム１２に接続される湾曲アーム１３と、該湾曲アーム１３に接続される過渡アーム１４を含み、該第１ハンドルカバー１１は、該横アーム１２に取り付けられ、該第１ハンドルカバー１１上に、複数の滑り止め溝が設けられる。尚、前記湾曲アーム１３が円弧状を呈し、前記過渡アーム１４の一端が前記杖本体２０に連結されることが好ましい。また、本考案では、多機能杖１００に良好な緩衝性能を持たせるため、該横アーム１２と湾曲アーム１３と過渡アーム１４が「７」字形に連結され、これにより、該握持部１０が外力を受けた時に曲げ変形が発生することで、反力による衝撃を減軽するので、緩衝性能に優れることに加え、該多機能杖１００自身の耐衝撃性も向上している。さらに、前記第１ハンドルカバー１１には、快適性を向上させるため、発泡材で作られており、該横アーム１２の一端には、塵埃や水分の侵入を防ぐために、キャップ（図示せず）が取り付けられている。また、他の好適な実施例においては、杖本体２０が、第１パイプ２１と、該第１パイプ２１に連結される第２パイプ２２を含み、該第１パイプ２１の一端が前記握持部１０に連結されると共に、他端が該第２パイプ２２に外嵌される。尚、該第１パイプ２１の一端が前記過渡アーム１４に連結され、該第１パイプ２１と第２パイプ２２上に複数の貫通孔が設けられることが好ましい。さらに、前記横アーム１２、湾曲アーム１３、過渡アーム１４及び杖本体２０は、アルミニウム製管材であることから、使用寿命を長くすることができると共に、該第２パイプ２２における、前記握持部１０に接近する一端に閉塞具が取り付けられ、該杖本体２０は、第１パイプ２１と第２パイプ２２を連結するスリーブを含み、該スリーブは、該第１パイプ２１における、第２パイプ２２との連結箇所に設置される。
【００２１】
図３及び図４に示すように、第１台座３０は、第１支持脚部３１と杖本体２０を連結する突出部３２を含み、第２パイプ２２の一端は、該第１台座３０に連結される。尚、地面に安定して接触させるため、該第１支持脚部３１における、該突出部３２から離れる一端が平坦面であり、該第１支持脚部３１に位置決め凹部３１０が設けられていることが好ましい。また、前記突出部３２は、テーパー状を呈し、前記杖本体２０に連結される一端の寸法が、該杖本体２０から離れる一端より小さく、第２台座４０は、第２支持脚部４２に接続されるボディーケース４３を含み、該ボディーケース４３に取付座４１が接続される。尚、前記ボディーケース４３の中央部分には、軸方向に沿って円形凹槽が形成され、該取付座４１は連結用スリーブ部材であり、該円形凹槽に接続され、さらに、前記取付座４１の外周面に、オスネジ山が設けられると共に、該取付座４１の内周面に位置決め凸部４４が形成され、該位置決め凸部４４は前記位置決め凹部３１０に対応しており、滑り止め効果を向上させるため、前記第２支持脚部４２に、複数の滑り止め突条が設けられる。また、該第１支持脚部３１及び第２支持脚部４２は、柔軟なゴム底であり、該ゴム底は弾性を有するので、本考案に係る多機能杖１００が地面に突く時の反作用力による衝撃を軽減すると同時に、杖１００と地面との間に大きな摩擦力を生じさせて、優れた滑り止め効果をもたらす。尚、前記ボディーケース４３の靭性を高めるため、該ボディーケース４３における、該第２支持脚部４２と対応する箇所に複数の補強リブが設けられることが好ましい。また、本考案の好適な実施例においては、該第２支持脚部４２が四つであるが、他の好適な実施例においては、第２支持脚部４２が地面をしっかりとらえることができれば、三つや五つなどでもよい。
【００２２】
図５に示すように、固定機構５０は、ハウジングケース５１と、該ハウジングケース５１における、杖本体２０に接近する一端に径方向に延在する端縁部５２と、該ハウジングケース５１における、杖本体２０に離れる一端に軸方向に延在するリム部５３とを含み、該ハウジングケース５１の一端は、前記突出部３２における、杖本体２０に連結される一端に当接すると共に、他端は、第２台座４０と連結するのに用いられ、該ハウジングケース５１は、該突出部３２の外形と対応する形状を呈する。尚、前記ハウジングケース５１が該杖本体２０から脱落するのを防ぐため、該端縁部５２が該前記突出部３２における、杖本体２０に連結される一端に当接すると共に、該固定機構５０が地面に接触するのを防ぐため、該固定機構５０の長さを該第１台座３０より短くし、更に、使用者が該ハウジングケース５１をより回しやすくするため、該ハウジングケース５１上に複数の滑り止め突条が設けられる。また、前記リム部５３の内周面に、前記取付座４１の外周面に形成されるオスネジ山と対応するメスネジ山が設けられ、該第１台座３０は、該取付座４１の内壁面に係止され、該固定機構５０のリム部５３は、該取付座４１の外壁面に連結される。尚、前記リム部５３の外壁面に表示溝部５３０が設けられ、該固定機構５０を該第２台座４０に締着する時、該表示溝部５３０が前記ボディーケース４３の端縁とちょうど同一平面上にあれば、所定の箇所に固定されていることを示していると共に、一定の時間は経過した時点で、該表示溝部５３０が該ボディーケース４３から露出していると、該固定機構５０が緩まっていることを示しているので、再び該固定機構５０を締め付け直す必要があることを使用者に促している。尚、使用者に対してより明確に示するため、該表示溝部５３０が色付けされており、該第２台座４０を使用する時は、該第１台座３０の位置決め凹部３１０を、該第２台座４０の位置決め凸部４４に合わせて係合し、該第１台座３０の第１支持脚部３１を、該第２台座４０の取付座４１に当接し、該固定機構５０を回して該リム部５３を該取付座４１に締結させることで、該第２台座４０と第１台座３０と杖本体２０とを一体にする。
【００２３】
特に、使用者が比較的に低い場所から立ち上がる時において、より多くの補助力を必要とする場合、本考案に係る多機能杖１００では、更に補助握持部６０を提供して補助する。つまり、前記補助握持部６０は、第２ハンドルカバー６１と、該第２ハンドルカバー６１に連結される固定座６２を含み、該第２ハンドルカバー６１は、該杖本体２０における、握持部１０に接近する一端に取り付けられ、該固定座６２は該杖本体２０に固定され、また、該補助握持部６０の構成はコンパクトであるので、使用上邪魔にはならない。尚、前記第２ハンドルカバー６１は該第１パイプ２１に取り付けられ、該固定座６２は該第１パイプ２１に突出するように設置されることが好ましい。また、前記固定座６２は、締付ねじによって固定されると共に、前記第２ハンドルカバー６１は、快適性を向上させるために発泡材で作られており、該固定座６２は円盤状を呈する。この構成によれば、使用者が第２ハンドルカバー６１を把持すると共に、手を該固定座６２に当てて、重心を取ってから、下向きに力を入れながら立ち上がればよい。更に、異なる使用者や使用状況に応じて、本考案に係る多機能杖１００の長さの調整を容易に且つ迅速に行うために、長さ調節機構７０を備えており、該長さ調節機構７０は、ロケートリング７１と、該ロケートリング７１に接続されるロケートピン７２とを含み、該ロケートリング７１は該第１パイプ２１に外嵌され、該ロケートピン７２は、該第１パイプ２１と第２パイプ２２を貫通するように設置される。尚、前記ロケートピン７２は硬い材料からなり、前記第１パイプ２１及び第２パイプ２２の貫通孔を貫通して設置されることが好ましい。また、前記杖１００の長さを調整する際は、まず、前記長さ調節機構７０を、該第１パイプ２１と第２パイプ２２から引き抜いて、該第１パイプ２１と第２パイプ２２をロック状態からフリー状態に切り替え、該第１パイプ２１と第２パイプ２２との間の相対距離を調整し、調整が完了したら、該ロケートピン７２を該第１パイプ２１と第２パイプ２２に挿入して係合させる。一方、他の好適な実施例においては、前記ロケートピン７２は弾性収縮可能な構造であり、前記杖１００の長さを調整する際は、まず、該長さ調節機構７０を押圧して、該第１パイプ２１と第２パイプ２２をロック状態からフリー状態に切り替え、該第１パイプ２１と第２パイプ２２との間の相対距離を調整し、調整が完了したら、該ロケートピン７２を弾性的に突出させるように該第１パイプ２１と第２パイプ２２に挿入して係合させる。
【００２４】
使用者が、本考案に係る多機能杖１００を用いて立ち上がる動作をする時は、片手で前記第１ハンドルカバー１１を把持すると同時に、他方の片手で前記第２ハンドルカバー６１を把持して前記固定座６２に当接し、重心を取って立ち上がり、更に、前記補助握持部６０による補助により、より大きな補助力を得られるので、簡単に立ち上がることができる。また、前記長さ調節機構７０によれば、使用者自身の身長に応じて、前記杖本体２０の長さを調整することができる。また、図５に示すように、歩道を歩く場合は、単に該杖本体２０に取り付けられている第１台座３０により、該杖本体２０と地面との間の摩擦力が充分に得られるので、一つの支持点での単点支持補助で歩行を実現できる。その上、図１に示すように、滑りやすい路面を歩いたり、階段を上り下りする時は、前記第２台座４０を該第１台座３０に取り付ければ、より多くの支持点を得て、滑り止め効果を発揮でき、その第２台座４０を取り付ける際には、該第１台座３０を取り外す必要がないので、紛失することがなく、交換作業も容易である。更に、前記杖１００を使用して特に階段を下りる時は、杖１００に比較的大きな負荷がかかっており、この時、前記握持部１０がやや下向きに変形することによって緩衝効果が生じ、使用者に与える衝撃力を吸収するので、快適な使用感が得られる。
【００２５】
本考案に係る多機能杖は、第１台座の第１支持脚部により、一つの支持点による単点支持補助を実現し、固定機構によれば、第１台座と第２台座とを着脱可能に連結することで、速やかな交換作業を実現し、第２台座の少なくとも二つの第２支持脚部により、複数の支持点での多点支持補助を実現することにより、優れた滑り止め効果を発揮するものである。このように、上述した技術特徴によれば、本考案に係る多機能杖は、安定した構造を有し、単点支持と多点支持を素早く切り替えることができるので、様々な用途に適用できるものである。
【００２６】
上記実施形態の技術特徴は任意に組み合わせてもよい。尚、簡潔に説明するために、上述の実施形態における様々な技術特徴に対して、全ての組み合わせを記載することはできない。故に、上述の技術特徴の任意の組み合わせにおいて矛盾が存在しない限り、それは本明細書の範囲とみなすべきである。
【００２７】
以上の説明は、本考案の好ましい実施形態に過ぎず、本考案に対して何ら限定を行うものではない。本考案について、比較的好ましい実施形態をもって上記のとおり開示したが、これは本考案を限定するものではなく、すべての当業者が、本考案の技術構想を逸脱しない範囲において、本考案の技術の本質に基づいて上記の実施形態に対して行ういかなる簡単な修正、変更及び修飾も、依然としてすべて本考案の技術構想の範囲内にある。
【符号の説明】
【００２８】
１００杖
１０握持部１０
１１第１ハンドルカバー１１
１２横アーム１２
１３湾曲アーム１３
１４過渡アーム１４
２０杖本体２０
２１第１パイプ２１
２２第２パイプ２２
３０第１台座３０
３１第１支持脚部３１
３１０位置決め凹部３１０
３２突出部３２
４０第２台座４０
４１取付座４１
４２第２支持脚部４２
４３ボディーケース４３
４４位置決め凸部４４
５０固定機構５０
５１ハウジングケース５１
５２端縁部５２
５３リム部５３
５３０表示溝部５３０
６０補助握持部６０
６１第２ハンドルカバー６１
６２固定座６２
７０長さ調節機構７０
７１ロケートリング７１
７２ロケートピン７２
【図１】
0003223865.tif 000003
【図２】
0003223865.tif 000004
【図３】
0003223865.tif 000005
【図４】
0003223865.tif 000006
【図５】
0003223865.tif 000007